(57)【要約】【課題】ファイル転送プロトコルによって転送されてきた映像ファイルから送出ＳＯＭ点でのサムネイル画像を迅速に取得すること。【解決手段】本発明は、映像データを備えたファイルをファイル転送プロトコル（ＦＴＰ）により受け取るファイル入力手段６１と、ファイル入力手段によって受け取った転送途中のファイルから映像データを抽出する情報抽出手段６２と、情報抽出手段で抽出した映像データのうち予め設定された送出開始点での静止画を取り込みサムネイルとして登録するサムネイル登録手段６３とを備えるサムネイル登録装置である。【選択図】図３
2009027674.tif 000002
【特許請求の範囲】
【請求項１】
映像データを備えたファイルをファイル転送プロトコルにより受け取るファイル入力手段と、
前記ファイル入力手段によって受け取る転送途中のファイルから映像データを抽出する情報抽出手段と、
前記情報抽出手段で抽出した映像データのうち予め設定された送出開始点での静止画を取り込みサムネイルとして登録するサムネイル登録手段と
を備えることを特徴とするサムネイル登録装置。
【請求項２】
前記情報抽出手段は、転送途中の前記ファイルの映像データの始点から前記送出開始点までの映像データを抽出して圧縮ファイル形式のデータに再構築し、
前記サムネイル登録手段は、前記情報抽出手段で再構築された前記映像圧縮ファイル形式のデータを伸張して前記送出開始点での静止画を取り込む
ことを特徴とする請求項１記載のサムネイル登録装置。
【請求項３】
映像データを備えたファイルをファイル転送プロトコルにより受け取るステップと、
前記ステップで受け取る転送途中の前記ファイルから映像データを抽出するするステップと、
抽出した前記映像データのうち予め設定された送出開始点での静止画を取り込みサムネイルとして登録するステップと
をコンピュータによって実行させることを特徴とするサムネイル登録プログラム。
【請求項４】
前記映像データを抽出するステップでは、転送途中の前記ファイルの映像データの始点から前記送出開始点までの映像データを抽出して圧縮ファイル形式のデータに再構築し、
前記サムネイルとして登録するステップでは、再構築された前記映像圧縮ファイル形式のデータを伸張して前記送出開始点での静止画を取り込む
ことを特徴とする請求項３記載のサムネイル登録プログラム。
【発明の詳細な説明】
【技術分野】
【０００１】
本発明は、映像データがファイルとして転送されてきた場合に送出開始点の静止画を取り込みサムネイルとして登録するサムネイル登録装置およびサムネイル登録プログラムに関する。
【背景技術】
【０００２】
従来、放送局等で映像等を送出する際に利用する送出サーバシステムでは、収録中あるいは収録完了後に素材の送出開始点（ＳＯＭ（Start of message）点）を確定させ、このＳＯＭ点に達した素材をオンエアーさせている。このため、一般的な放送局用途の送出サーバシステムでは収録画面、プレビュー画面などから素材のＳＯＭ点を変更できる機能を有している（例えば、特許文献１参照。）。
【０００３】
【特許文献１】特開２００１−１６４８４号公報
【発明の開示】
【発明が解決しようとする課題】
【０００４】
しかしながら、送出サーバシステムにおいて素材の収録を行う際、デジタル映像信号である例えばＳＤＩ形式によって映像データが送られてくる場合には、ＳＯＭ点でのフレームカウントによって容易にサムネイル画像を取得できるものの、映像データをファイルとして取り扱う例えばＭＸＦファイル形式でＦＴＰ（File Transfer Protocol）転送されてきた場合、ファイルの全てを転送した後に映像を抽出しなければフレームカウントを取り扱うことができず、ＳＯＭ点でのサムネイル画像を迅速に取得できないという問題が生じている。
【課題を解決するための手段】
【０００５】
本発明はこのような課題を解決するために成されたものである。すなわち、本発明は、映像データを備えたファイルをファイル転送プロトコルにより受け取るファイル入力手段と、ファイル入力手段によって受け取る転送途中のファイルから映像データを抽出する情報抽出手段と、情報抽出手段で抽出した映像データのうち予め設定された送出開始点での静止画を取り込みサムネイルとして登録するサムネイル登録手段とを備えるサムネイル登録装置である。
【０００６】
このような本発明では、映像データを備えたファイルがファイル転送プロトコルによって転送されてきた場合、その転送途中のファイルから映像データを抽出し、予め設定された送出開始点での静止画を取り込むため、ファイル形式の映像情報の転送途中であっても容易にサムネイル画像を登録できるようになる。
【０００７】
特に、本発明では、転送途中のファイルの映像データの始点から送出開始点までの映像データを抽出して映像圧縮ファイル形式のデータに再構築し、この再構築された圧縮ファイル形式のデータを伸張して送出開始点での静止画を取り込むことにより、ファイルの転送途中であっても送出開始点でのサムネイル画像を登録できるようになる。
【０００８】
また、本発明は、映像データを備えたファイルをファイル転送プロトコルにより受け取るステップと、このステップで受け取る転送途中のファイルから映像データを抽出するするステップと、抽出した映像データのうち予め設定された送出開始点での静止画を取り込みサムネイルとして登録するステップとをコンピュータによって実行させるサムネイル登録プログラムである。
【０００９】
このような本発明では、映像データを備えたファイルがファイル転送プロトコルによって転送されてきた場合、その転送途中のファイルから映像データを抽出し、予め設定された送出開始点での静止画を取り込むため、ファイル形式の映像情報の転送途中であっても容易にサムネイル画像を登録できるようになる。
【００１０】
特に、本発明では、映像データを抽出するステップで、転送途中のファイルの映像データの始点から送出開始点までの映像データを抽出して圧縮ファイル形式のデータに再構築し、サムネイルとして登録するステップで、再構築された映像圧縮ファイル形式のデータを伸張して送出開始点での静止画を取り込むものである。
【発明の効果】
【００１１】
したがって、本発明によれば、ファイル形式の映像データをファイル転送プロトコルによって転送して収録する場合、転送途中であってもＳＯＭ点でのサムネイル画像を迅速に取得することが可能となり、ファイル形式の映像データのＳＯＭ点を視覚的に判断させることが可能となる。
【発明を実施するための最良の形態】
【００１２】
以下、本発明の実施の形態を図に基づき説明する。
【００１３】
＜システム構成＞
図１は、本実施形態に係るサムネイル登録装置を適用した映像収録システムを説明する構成図である。この映像収録システムは、各種の映像や音声の素材を所定のプレイリストに従ってビデオサーバ１０に格納していくもので、このビデオサーバ１０を中心として編集システム２０、制御コンピュータ３０、プロキシコンピュータ４０、サムネイル記憶部５０が所定のネットワークＮを介して接続された構成となっている。本実施形態に係るサムネイル登録装置は、ビデオサーバ１０とネットワークＮとの間に介在する転送中継サーバ６０内で実現されている。
【００１４】
ビデオサーバ１０は、各種の素材データ（映像や音声、編集済みのデータ、所定の映像ファイル）を格納し映像データとして収録する記憶手段である。ビデオサーバ１０には、各種の素材データを入力するためのポートが設けられている。例えば、外部の回線から送られる素材データを入力するポート、編集システム２０等からネットワークＮ経由で送られる素材データを入力するポート、図示しないＶＴＲ等の機材から送られる素材データを入力するためのポートである。
【００１５】
ビデオサーバ１０は、これらのポートを介して送られる素材データを、オペレータの指示に従い順次格納してプレイリスト（収録順リストデータ）を生成する部分である。また、ビデオサーバ１０は、所定の要求に応じて収録した映像データをプレイリストに従い上位システムへ送出したり、プレビュー再生のために映像データを送出したりする処理も行う。
【００１６】
編集システム２０は、各種の素材に対して編集を施すシステムであり、素材の映像データを所定の時間にトリミングしたり、送出開始ポイント（ＳＯＭ点）を設定したり、複数の映像データを連結したり、合成したり、各種の映像効果を施したりして、編集結果としての新たな映像データを生成するシステムである。
【００１７】
制御コンピュータ３０は、ビデオサーバ１０に収録する素材の入出力を制御する部分であり、所定のアプリケーションソフトウェアによってビデオサーバ１０のポートを制御し、各ポート経由で送られる素材データを指定した順番に収録するようビデオサーバ１０を制御する。収録した順番はプレイリストとして生成されることになる。
【００１８】
また、制御コンピュータ３０は、アプリケーションソフトウェアによってプレイリストの順番に従いビデオサーバ１０に収録された映像データを上位システムへ送り出す命令を行ったり、ビデオサーバ１０に収録された映像データをプレイリストの順番に従い再生するプレビューを行ったり、収録後の映像データに対して修正を加える処理を行ったりすることができる。
【００１９】
プロキシコンピュータ４０は、制御コンピュータ３０の指示によって上位システムとのデータ入出力を行う際の代行サーバとして機能する部分である。また、プロキシコンピュータ４０にはキャプチャボード４１が組み込まれており、ビデオサーバ１０に入力される素材データの動画の一部を静止画として取り込み、サムネイル画像としてサムネイル記憶部５０に登録する処理も行う。
【００２０】
サムネイル記憶部５０は、映像データを構成する各種素材データのＳＯＭ点における静止画をサムネイル画像として登録する記憶手段である。登録されたサムネイル画像は、制御コンピュータ３０で実行されるアプリケーションソフトウェアで映像データを収録する際やプレイリストを表示する際、プレビューを行う際に読み出され、対象となる素材データが選択された際に画面表示される。
【００２１】
＜サムネイル登録装置：転送中継サーバの構成＞
図２は、本実施形態のサムネイル登録装置である転送中継サーバを説明する図、図３は、転送中継サーバの構成を説明するブロック図である。図２に示すように、転送中継サーバ６０は、編集システム２０等が接続されるネットワークＮとビデオサーバ１０との間に介在するもので、編集システム２０等によってネットワークＮを介して送られる映像ファイルを受け取り、その映像ファイルを解析してＳＯＭ点でのサムネイル画像を登録するものである。
【００２２】
転送中継サーバ６０が取り扱う映像ファイルは、ネットワークＮを介してファイル転送プロトコル（例えば、ＦＴＰ）によって送られるファイル形式のデータである。このファイル形式としては、例えばＭＸＦ(Material eXchange Format：米国映画テレビ技術者協会）ファイルのような互換性を有する形式のものである。
【００２３】
転送中継サーバ６０は、このようなファイル形式から成る映像ファイルを受け取り、ＳＯＭ点でのサムネイル画像を取り込んでサムネイル記憶部５０に登録するとともに、映像ファイルの中の映像データ（実データ）をビデオサーバに送る。
【００２４】
図３に示すように、転送中継サーバ６０は、ファイル入力手段６１、情報抽出手段６２、サムネイル登録手段６３を有している。ファイル入力手段６１は、映像データを備えたファイル（例えば、先に説明したＭＸＦファイルのような映像ファイル）をファイル転送プロトコル（例えば、ＦＴＰ）によって受け取る処理を行う。
【００２５】
情報抽出手段６２は、ファイル入力手段６１によって受け取った転送途中の映像ファイルを解析して、その中から実データである映像データを抽出する処理を行う。
【００２６】
サムネイル登録手段６３は、情報抽出手段６２で抽出した映像データのうち、予め設定されたＳＯＭ点での静止画を取り込み、サムネイル画像としてサムネイル記憶部５０に登録する処理を行う。
【００２７】
ここで、ビデオサーバ１０に収録される素材データとしては、一般的なデジタル映像信号であるＳＤＩ（例えば、ＨＤ−ＳＤＩ）があるが、ＳＤＩであれば素材データの映像をビデオサーバに入力しながらフレームカウンタによってカウントして、ＳＯＭ点での静止画をキャプチャボード６１によって取り込み、サムネイル画像を容易に取得することができる。
【００２８】
しかし、素材データが映像信号の形式ではなく、コンピュータ等によってファイルとして取扱い可能な形式である例えばＭＸＦファイル形式の場合には、ビデオサーバ１０にＦＴＰ等のファイル転送プロトコルによって迅速にファイル転送できるものの、転送途中でこのファイルからＳＯＭ点での静止画を容易に取り出すことができない。つまり、一旦全てのファイルを転送してから、映像信号に変換してフレームカウントに従いＳＯＭ点での画像を取り込む必要がある。
【００２９】
本実施形態では、転送中継サーバ６０によって例えばＭＸＦファイル形式の映像ファイルをＦＴＰ等のファイル転送プロトコルで転送している途中であっても、ＳＯＭ点でのサムネイル画像を迅速に取り込むことができる点に特徴がある。
【００３０】
＜ＭＸＦファイル形式＞
図４は、映像ファイルの形式の一つであるＭＸＦファイル形式の構造を説明する模式図である。ＭＸＦファイルは、ファイルヘッダ、ファイルボディ、ファイルフッタに大別さる。ファイルヘッダには、ＭＸＦファイルの最初のパーティション開始符号であるHeader partition packと、メタデータとが格納される。ファイルボディには、素材の本体である映像データや音声データがエッセンスコンテナと呼ばれる入れ物に格納されている。ファイルフッタは、ＭＸＦファイルの最後のパーティション開始符号であるFooter partition packが格納されている。
【００３１】
このうち、ファイルボディに格納される映像データは、実際の映像を送出（放送）する部分となる送出データを中心として前側に前捨てと後ろ側に後捨てのデータが設けられている。映像データ全体の最初となるポイントを元素材ＳＯＭ点、前捨てを除いた送出データの最初となるポイントを送出ＳＯＭ点と言う。
【００３２】
本実施形態では、転送中継サーバがこのようなファイルの形式の解析をファイル転送途中に行って、送出ＳＯＭ点のサムネイル画像をファイル転送が完了する前に迅速に取得する処理を行っている。
【００３３】
＜転送中継サーバのサムネイル画像取得処理＞
図５は、転送中継サーバによるサムネイル画像取得処理を説明する模式図である。転送中継サーバ６０のファイル入力手段６１（図３参照）は、ネットワークを介してＦＴＰ等によるファイル転送プロトコルで映像ファイルを順次取得する。この際、情報抽出手段６２（図３参照）によって先に説明したＭＸＦファイル等のファイル形式の構造からファイルボディを抽出し、予め設定された送出ＳＯＭ点までのファイルを取り込んだ段階で、その部分までのデータを映像データとして所定のファイル形式に再構築する。
【００３４】
ここでは、元素材ＳＯＭ点から送出ＳＯＭ点までのデータを映像データとして、その前後にヘッダ、フッタを付加した圧縮ファイルデータ（例えば、ＭＰＥＧ）に再構築する。そして、再構築した圧縮ファイルデータを伸張して送出ＳＯＭ点での映像を静止画として取り込み、これをサムネイル登録手段６３（図３参照）がサムネイル画像としてサムネイル記憶部５０（図１参照）に登録する。
【００３５】
これにより、転送中継サーバ６０に映像ファイルが転送されている途中でも送出ＳＯＭ点までのデータを取り込んだ段階でファイルの再構築を行い、送出ＳＯＭ点でのサムネイル画像を取り込むことが可能となる。
【００３６】
＜サムネイル登録プログラム＞
本実施形態に係るサムネイル登録プログラムは、先に説明した転送中継サーバ内で実行されるプログラム処理である。図６は、サムネイル登録プログラムの流れを説明するフローチャートである。なお、以下の説明で図６に示されない符号は図２、図３を参照するものとする。
【００３７】
先ず、ネットワークＮを介して送られるＭＸＦファイル等の映像ファイルをＦＴＰ等のファイル転送プロトコルに基づきファイル入力手段６１が受信する（ステップＳ１）。次に、情報抽出手段６２は、転送されてくる映像ファイルの構造を解析し（ステップＳ２）、順次映像データを取り込んでいく。
【００３８】
次に、送出ＳＯＭ点まで映像データを受信する（ステップＳ３）。送出ＳＯＭ点の情報は、ＭＸＦファイルのメタデータに含まれている場合にはそれを用い、外部から別データとして送られる場合にはそれを用いる。そして、送出ＳＯＭ点までの映像データを受信したら、情報抽出手段６２によってその受信した映像データ（送出ＳＯＭ点までの映像データ）を圧縮ファイル形式へ再構築する処理を行う（ステップＳ４）。圧縮ファイル形式としては、例えばＭＰＥＧが用いられ、受信した映像データの前後に再構築するファイル形式に応じたヘッダ、フッタ等の情報を付加することで再構築を行う。
【００３９】
次に、サムネイル登録手段６３は、再構築された圧縮ファイル形式のデータを伸張して、送出ＳＯＭ点での映像を静止画として取り込む（ステップＳ５）。情報抽出手段６２によって送出ＳＯＭ点までの映像データが別ファイルとして再構築されているため、サムネイル登録手段６３はこの別ファイルを用いて送出ＳＯＭ点での静止画をキャプチャでき、その間もファイル入力手段６１によって続きの映像ファイルを受信できることになる。
【００４０】
そして、サムネイル登録手段６３は、取り込んだ送出ＳＯＭ点での静止画をサムネイル画像としてサムネイル記憶部５０に登録する（ステップＳ６）。
【００４１】
＜映像収録システムでの具体的なサムネイル取得機能＞
本実施形態が適用される映像収録システムでは、具体的に次のようなサムネイル取得機能を備えている。すなわち、ビデオサーバへ素材データを収録中であっても、素材データの収録が完了している状態でも、送出ＳＯＭ点のサムネイルを取得するために、以下の３つの機能を適宜利用することで、送出ＳＯＭ点のサムネイルを取得することができる。
【００４２】
（１）ＳＤＩ映像データを収録時に送出ＳＯＭ点のサムネイル画像を生成する機能
（２）ＦＴＰ転送による映像ファイルの収録中にサムネイル画像を生成する機能
（３）収録完了後に送出ＳＯＭ点を変更した場合、その変更に伴う送出ＳＯＭ点でのサムネイル画像を生成する機能
以下、各機能について説明する。
【００４３】
（１）ＳＤＩ映像データを収録時に送出ＳＯＭ点のサムネイル画像を生成する機能
この機能は、ビデオサーバのポートに接続される回線を介してＳＤＩ形式の映像データが送られてきた場合、その映像データの収録開始のトリガーを取得し、フレームカウントの制度を持って、送出ＳＯＭ点のサムネイル画像をキャプチャし、サムネイル記憶部へ登録および上位システム等へ提供するものである。
【００４４】
図７は、制御コンピュータのアプリケーションソフトウェアによって表示される収録作業の画面表示例である。この例では、ビデオサーバの４つのポート（系統）に接続される各素材送出機器が表示され、ステータスとして「収録済」、「収録中」のいずれかが示されている。また、画面の右下には、収録中の素材送出機器から送られる映像データについて、フレームカウントを利用して送出ＳＯＭ点と対応したフレームカウントで映像をキャプチャし、サムネイル画像として表示している。ＳＤＩ映像データでは、収録中のフレームカウントを利用することで容易に送出ＳＯＤ点のサムネイル画像を取得することができる。
【００４５】
（２）ＦＴＰ転送による映像ファイルの収録中にサムネイル画像を生成する機能
この機能は、先に説明した本実施形態の特徴部分に係る機能であり、ＦＴＰ等のファイル転送プロトコルによって転送中の例えばＭＸＦファイル（素材）等の映像ファイルを転送中継サーバがバッファリングし、該当ファイルの送出ＳＯＭ点までファイルを転送した後に、転送中ファイルを再メディア化して、その後、再メディア化した素材ファイルからサムネイルを取得し、サムネイル記憶部へ登録および上位システム等へ提供するものである。
【００４６】
転送中継サーバでの具体的な内部ロジックは次のようになる。なお、ここではファイル転送プロトコルがＦＴＰ、映像ファイルがＭＸＦファイルの場合を例とする。
１．収録開始する（ＦＴＰ転送開始する）。
２．ＦＴＰにて転送されてくるＭＸＦファイルからファイルヘッダ（プリアンプル）とメタデータとを分解し、ファイルボディから映像データを抽出する。
３．抽出した映像データからビデオファイルフォーマットをチェックする（今回はＭＰＥＧファイルを想定）。
４．ビデオフォーマットの情報を元に、ＦＴＰ転送中のファイルサイズをチェックし、予め設定された送出ＳＯＭ点の映像データが転送されるまで待つ。
５．送出ＳＯＭ点が転送されたらＦＴＰ転送中ファイルを再メディア化する（ここでは、ＭＰＥＧファイルを想定）。
６．再メディア化したファイルのＰＳ（Program Stream）パケットより、送出ＳＯＭ点位置を計算する。
７．計算した送出ＳＯＭ点での静止画を取り込み、これをサムネイル画像として生成する。
８．生成したサムネイル画像をサムネイル記憶部に登録し、必要に応じて上位システム等の関連システムへ提供する。
【００４７】
ＦＴＰ転送による映像ファイルから送出ＳＯＭ点のサムネイル画像を取得する場合の画面表示は、図７に示すものと同様である。
【００４８】
（３）収録完了後に送出ＳＯＭ点を変更した場合、その変更に伴う送出ＳＯＭ点でのサムネイル画像を生成する機能
この機能は、素材データの収録が完了した後、プレビューを行っている際に送出ＳＯＭ点を変更した場合、その変更した送出ＳＯＭ点に対応したサムネイル画像を生成する機能である。
【００４９】
図８は、プレビュー時の画面表示例を示す図、図９は、プレビューで送出ＳＯＭ点を変更した場合の処理の流れを説明する図である。図８に示すように、プレビュー時の画面表示では、収録した映像データをプレイリストに合わせて再生（プレビュー）することができ、プレイリストに登録されている各素材データの送出ＳＯＭ点に対応したサムネイル画像が画面右下に表示される。
【００５０】
プレビュー時において、オペレータは任意のポイントを指定して、ここを新たな送出ＳＯＭ点に設定することができる。この機能には、高解像度プレビューの場合と低解像度プレビューの場合とがある。
【００５１】
ｉ）高解像度プレビューの場合
プレビュー時の画面表示を参照し、オペレータが任意のＳＯＭ点を指定し、確定させた時点で、高解像度プレビューラインから出ている映像をＳＯＭ点へCueupさせ、そのポイントでの静止画をキャプチャし、サムネイル画像としてサムネイル記憶部５０に登録する。また、必要に応じて上位システム等の関連システムへ登録したサムネイル画像を提供する。
【００５２】
図９に示す処理の流れでは、ビデオサーバ１０から出力される高解像度の映像データをプロキシコンピュータ４０のキャプチャボード４１に送り、制御コンピュータ３０のアプリケーションソフトウェアによって表示されている画面表示（図８参照）によってオペレータが任意のＳＯＭ点を指定した段階で、キャプチャボード４１によって高解像度の映像データの静止画を取り込む。そして、この取り込んだ静止画をサムネイル画像としてサムネイル記憶部５０に登録し、必要に応じてサムネイル記憶部５０から上位システム等へ提供する。
【００５３】
ｉｉ）低解像度プレビューの場合
プレビュー時の画面表示から、対象となる素材データを選択した時点で、低解像度ファイル（Proxyファイル）を制御コンピュータ３０へコピーし、再メディア化する。そして、プレビューの画面表示を参照し、オペレータが任意のＳＯＭ点を指定し、確定させた時点で、再メディア化したファイルからサムネイルをキャプチャし、サムネイル画像としてサムネイル記憶部５０に登録する。また、必要に応じて上位システム等の関連システムへ登録したサムネイル画像を提供する。
【００５４】
図９に示す処理の流れでは、制御コンピュータ３０がサムネイル記憶部５０から低解像度ファイルを取得し、再メディア化する。そして、再メディア化した映像データをプレビューの画面表示（図８参照）に映し出し、オペレータが任意のＳＯＭ点を指定した段階で、再メディア化したファイルからＳＯＭ点での静止画をキャプチャし、サムネイル画像としてサムネイル記憶部５０に登録し、必要に応じてサムネイル記憶部５０から上位システム等へ提供する。
【００５５】
なお、上記説明した実施形態では、ファイル転送プロトコルとしてＦＴＰ、映像ファイルの形式としてＭＸＦファイル形式を例としたが、これ以外のプロトコルやファイル形式であっても適用可能である。
【図面の簡単な説明】
【００５６】
【図１】本実施形態に係るサムネイル登録装置を適用した映像収録システムを説明する構成図である。
【図２】本実施形態のサムネイル登録装置である転送中継サーバを説明する図である。
【図３】転送中継サーバの構成を説明するブロック図である。
【図４】映像ファイルの形式の一つであるＭＸＦファイル形式の構造を説明する模式図である。
【図５】転送中継サーバによるサムネイル画像取得処理を説明する模式図である。
【図６】サムネイル登録プログラムの流れを説明するフローチャートである。
【図７】制御コンピュータのアプリケーションソフトウェアによって表示される収録作業の画面表示例である。
【図８】プレビュー時の画面表示例を示す図である。
【図９】プレビューで送出ＳＯＭ点を変更した場合の処理の流れを説明する図である。
【符号の説明】
【００５７】
１０…ビデオサーバ、２０…編集システム、３０…制御コンピュータ、４０…プロキシコンピュータ、４１…キャプチャボード、５０…サムネイル記憶部、６０…転送中継サーバ、６１…ファイル入力手段、６２…情報抽出手段、６３…サムネイル登録手段、Ｎ…ネットワーク
【図１】
2009027674.tif 000003
【図２】
2009027674.tif 000004
【図３】
2009027674.tif 000005
【図４】
2009027674.tif 000006
【図５】
2009027674.tif 000007
【図６】
2009027674.tif 000008
【図９】
2009027674.tif 000009
【図７】
2009027674.tif 000010
【図８】
2009027674.tif 000011